(57)【特許請求の範囲】
【請求項１】
ゼンマイと、輪列を介して伝達されるゼンマイの機械エネルギを電気エネルギに変換する発電機と、前記輪列に結合された指針と、変換した前記電気エネルギにより駆動されて前記発電機の回転周期を制御する回転制御手段とを備える電子制御式機械時計において、
前記発電機からの電気エネルギを一時的に蓄えて前記回転制御手段に供給するコンデンサを備えるとともに、前記発電機が停止している際に、前記コンデンサから前記回転制御手段への電気エネルギの供給を遮断する電力供給制御手段を備えることを特徴とする電子制御式機械時計。
【請求項２】
請求項１に記載の電子制御式機械時計において、前記電力供給制御手段は、前記コンデンサに直列に接続されるとともに、前記発電機が作動している際は接続され、発電機が停止している際には切断されるスイッチにより構成されていることを特徴とする電子制御式機械時計。
【請求項３】
請求項１に記載の電子制御式機械時計において、前記電力供給制御手段は機械式スイッチであることを特徴とする電子制御式機械時計。
【請求項４】
請求項１〜３のいずれかに記載の電子制御式機械時計において、前記コンデンサに並列に接続された補助コンデンサを備えていることを特徴とする電子制御式機械時計。
【請求項５】
請求項４に記載の電子制御式機械時計において、前記補助コンデンサは前記コンデンサよりも容量が小さなものが用いられており、前記コンデンサは、抵抗および切替用スイッチが並列に接続された切替回路を介して前記電力供給制御手段に接続され、前記切替用スイッチは、前記コンデンサの端子電圧が回転制御手段を駆動可能な大きさまで高まった際に接続され、前記回転制御手段を駆動可能な大きさ以下に下がった際に切断されるように構成されていることを特徴とする電子制御式機械時計。
【請求項６】
請求項４に記載の電子制御式機械時計において、前記補助コンデンサは前記コンデンサよりも容量が小さなものが用いられており、前記コンデンサは、ダイオードおよび切替用スイッチが並列に接続された切替回路を介して前記電力供給制御手段に接続され、前記切替用スイッチは、前記コンデンサの端子電圧が回転制御手段を駆動可能な大きさまで高まった際に接続され、前記回転制御手段を駆動可能な大きさ以下に下がった際に切断されるように構成されていることを特徴とする電子制御式機械時計。
【請求項７】
ゼンマイと、輪列を介して伝達されるゼンマイの機械エネルギを電気エネルギに変換する発電機と、前記輪列に結合された指針と、変換した前記電気エネルギにより駆動されて前記発電機の回転周期を制御する回転制御手段とを備える電子制御式機械時計において、
前記発電機からの電気エネルギを一時的に蓄えて前記回転制御手段に供給するコンデンサを備えるとともに、前記発電機が停止している際に、回転制御手段内の消費電力量を低減させて前記コンデンサから前記回転制御手段への電気エネルギの供給量を低減させる電力供給制御手段を備えることを特徴とする電子制御式機械時計。
【請求項８】
請求項７に記載の電子制御式機械時計において、前記電力供給制御手段は、回転制御手段内の一部の回路を切り離して回転制御手段内の消費電力量を低減させるように構成されていることを特徴とする電子制御式機械時計。
【請求項９】
請求項１〜８のいずれかに記載の電子制御式機械時計において、前記コンデンサは、積層セラミックコンデンサであることを特徴とする電子制御式機械時計。
【発明の詳細な説明】
【０００１】
【発明の属する技術分野】
本発明は、ゼンマイが開放する時の機械エネルギを発電機で電気エネルギに変換し、その電気エネルギにより回転制御手段を作動させて発電機の回転周期を制御することにより、輪列に固定される指針を正確に駆動する電子制御式機械時計に関する。
【０００２】
【従来の技術】
ゼンマイが開放する時の機械エネルギを発電機で電気エネルギに変換し、その電気エネルギにより回転制御手段を作動させて発電機のコイルに流れる電流値を制御することにより、輪列に固定される指針を正確に駆動して正確に時刻を表示する電子制御式機械時計として、特開平８−５７５８号公報に記載されたものが知られている。
【０００３】
この際、発電機による電気エネルギを一旦、平滑用コンデンサに供給し、このコンデンサからの電力で回路制御手段を駆動しているが、このコンデンサには発電機の回転周期と同期した交流の起電力が入力されるため、ＩＣや水晶振動子を備える回路制御手段の動作を可能とするための電力を長期間保持する必要がなかった。このため、従来は、ＩＣや水晶振動子を数秒程度動作可能な静電容量の比較的小さなコンデンサが用いられていた。
【０００４】
この電子制御式機械時計は、指針の駆動をゼンマイを動力源とするためにモータが不要であり、部品点数が少なく安価であるという特徴がある。その上、電子回路を作動させるのに必要な僅かな電気エネルギを発電するだけでよく、少ない入力エネルギで時計を作動することもできた。
【０００５】
【発明が解決しようとする課題】
しかしながら、電子制御式機械時計は、以下の課題を有している。すなわち、通常は竜頭を引き出して行う針合わせ（時刻合わせ）を行う場合、正確に時刻を合わせられるように、時、分、秒の各指針を停止させていた。指針を停止することは、輪列を停止させることになるため、発電機も停止されていた。
【０００６】
このため、発電機から平滑用コンデンサへの起電力の入力が停止する一方で、ＩＣは駆動し続けるため、コンデンサに蓄えられた電荷はＩＣ側に放電されて端子電圧が低下し、その結果、回路制御手段も停止してしまうとともに、コンデンサも完全に放電されていた。
【０００７】
そして、針合わせを終えて竜頭を押し込み、発電機が回転を開始しても、放電されて電圧が０のコンデンサを、回路制御手段の駆動開始電圧（ＩＣを駆動可能な電圧）に達する電圧まで充電するのには時間がかかり、その間はＩＣが動作せず、正確な時間制御を行えないという問題があった。
【０００８】
本発明の目的は、針合わせ等の発電機が停止している際のコンデンサからの消費電力を少なくでき、発電機が作動し始めた際に前記コンデンサで回転制御手段を迅速に駆動させて時間制御の誤差を小さくすることができる電子制御式機械時計を提供することにある。
【０００９】
【課題を解決するための手段】
本発明の電子制御式機械時計は、ゼンマイと、輪列を介して伝達されるゼンマイの機械エネルギを電気エネルギに変換する発電機と、前記輪列に結合された指針と、変換した前記電気エネルギにより駆動されて前記発電機の回転周期を制御する回転制御手段とを備える電子制御式機械時計において、前記発電機からの電気エネルギを一時的に蓄えて前記回転制御手段に供給するコンデンサを備えるとともに、前記発電機が停止している際に、前記コンデンサから前記回転制御手段への電気エネルギの供給を遮断する電力供給制御手段を備えることを特徴とするものである。
【００１０】
本発明では、針合わせ時等に発電機が停止した場合に、電力供給制御手段によってコンデンサから回転制御手段への電気エネルギの供給を遮断しているので、発電機が停止している間もコンデンサは充電状態に維持される。
【００１１】
従って、針合わせ操作からの復帰時に、発電機が十分に立ち上がるまでは、コンデンサから回転制御手段に電気エネルギを供給して回転制御手段を作動させることができ、回転制御手段が作動されるまでのタイムラグによる誤差を無くすことができ、針合わせ時の時間制御の誤差を小さくすることができる。
【００１２】
この際、前記電力供給制御手段は、前記コンデンサに直列に接続されるとともに、前記発電機が作動している際は接続され、発電機が停止している際には切断されるスイッチにより構成されていることが好ましい。
【００１３】
また電力供給制御手段としては、電気的なスイッチでもよいが、機械式スイッチであることが好ましい。電気的なスイッチを用いた場合には、機械式スイッチのように完全に電力の供給を遮断できないことがあるが、その場合でも、電気的スイッチを構成するシリコンダイオードのリーク電流（１ｎＡ程度）しか放電しないため、スイッチの遮断効果は機械式スイッチの場合とほとんど同じである。但し、機械式スイッチを用いれば、電力の供給を完全に遮断できる点で好ましい。
【００１４】
また、前記コンデンサには、補助コンデンサが並列に接続されていることが好ましい。補助コンデンサが設けられていれば、時計に衝撃が加わった場合などに、前記スイッチがチャタリングを起こしても、補助コンデンサから電力を供給し続けることができ、回転制御手段がチャタリングで停止されることを防止できる。
【００１５】
さらに、前記補助コンデンサは前記コンデンサよりも容量が小さなものが用いられており、前記コンデンサは、抵抗および切替用スイッチが並列に接続された切替回路を介して前記電力供給制御手段に接続され、前記切替用スイッチは、前記コンデンサの端子電圧が回転制御手段を駆動可能な大きさまで高まった際に接続され、前記回転制御手段を駆動可能な大きさ以下に下がった際に切断されるように構成されていることが好ましい。
【００１６】
この際、前記コンデンサは、抵抗および切替用スイッチからなる切替回路の代わりに、ダイオードおよび切替用スイッチが並列に接続された切替回路を介して前記電力供給制御手段に接続されていてもよい。
【００１７】
容量の小さな補助コンデンサが設けられていれば、チャタリング発生時にも回路制御手段を駆動し続けることができる上、仮にメインのコンデンサの端子電圧が自己放電等で低下していても、針合わせ操作から復帰して発電機が動き始めた際に、まず容量が小さな補助コンデンサが充電されて回転制御手段の駆動開始電圧に迅速に達するため、ＩＣや水晶振動子で構成される回転制御手段が従来に比べて素早く駆動され、起動性を向上できる。
【００１８】
さらに、スイッチおよび抵抗あるいはスイッチおよびダイオードを備える切替回路を備えているため、抵抗値やダイオードの配置等を設定することで、発電機の立上り時に前記コンデンサに供給される電力量つまりは補助コンデンサ側に供給される電力量を設定でき、各コンデンサが充電されるまでの時間等を設定することができる。
【００１９】
また、第２の発明の電子制御式機械時計は、ゼンマイと、輪列を介して伝達されるゼンマイの機械エネルギを電気エネルギに変換する発電機と、前記輪列に結合された指針と、変換した前記電気エネルギにより駆動されて前記発電機の回転周期を制御する回転制御手段とを備える電子制御式機械時計において、前記発電機からの電気エネルギを一時的に蓄えて前記回転制御手段に供給するコンデンサを備えるとともに、前記発電機が停止している際に、回転制御手段内の消費電力量を低減させて前記コンデンサから前記回転制御手段への電気エネルギの供給量を低減させる電力供給制御手段を備えることを特徴とするものである。
【００２０】
本発明では、針合わせ時等に発電機が停止した場合に、電力供給制御手段によって回転制御手段内での消費電力量を低減させているので、発電機が停止している間にコンデンサから回転制御手段に供給される電気エネルギを少なくできる。
【００２１】
従って、針合わせ操作を行う程度の時間であれば、コンデンサが完全に放電されることがなく、針合わせ操作からの復帰時に、ある程度充電された状態のコンデンサを充電することができるため、コンデンサが回転制御手段を駆動可能な電圧まで充電される時間を短くでき、回転制御手段が作動されるまでのタイムラグによる誤差を小さくできる。
【００２２】
この際、前記電力供給制御手段は、回転制御手段内の一部の回路を切り離して回転制御手段内の消費電力量を低減させるように構成されていることが好ましい。
【００２３】
さらに、前記各発明において、各コンデンサは、電解質を含まず、信頼性の高い積層セラミックコンデンサであることが好ましい。
【００２４】
【発明の実施の形態】
以下に、本発明の実施形態を図面に基づいて説明する。
【００２５】
図１は、本実施形態の電子制御式機械時計の要部を示す平面図であり、図２及び図３はその断面図である。
【００２６】
電子制御式機械時計は、ゼンマイ１ａ、香箱歯車１ｂ、香箱真１ｃ及び香箱蓋１ｄからなる香箱車１を備えている。ゼンマイ１ａは、外端が香箱歯車１ｂ、内端が香箱真１ｃに固定される。香箱真１ｃは、地板２と輪列受３に支持され、角穴車４と一体で回転するように角穴ネジ５により固定されている。
【００２７】
角穴車４は、時計方向には回転するが反時計方向には回転しないように、こはぜ６と噛み合っている。なお、角穴車４を時計方向に回転しゼンマイ１ａを巻く方法は、機械時計の自動巻または手巻機構と同様であるため、説明を省略する。
【００２８】
香箱歯車１ｂの回転は、７倍に増速されて二番車７へ、順次６．４倍増速されて三番車８へ、９．３７５  倍増速されて四番車９へ、３倍増速されて五番車１０へ、１０倍増速されて六番車１１へ、１０倍増速されてロータ１２へと、合計１２６，０００倍の増速をしている。
【００２９】
二番車７には筒かな７ａが、筒かな７ａには分針１３が、四番車９には秒針１４がそれぞれ固定されている。従って、二番車７を１ｒｐｈで、四番車９を１ｒｐｍで回転させるためには、ロータ１２は５ｒｐｓで回転するように制御すればよい。このときの香箱歯車１ｂは、１／７ｒｐｈとなる。
【００３０】
この電子制御式機械時計は、ロータ１２、ステータ１５、コイルブロック１６から構成される発電機２０を備えている。ロータ１２は、ロータ磁石１２ａ、ロータかな１２ｂ、ロータ慣性円板１２ｃから構成される。ロータ慣性円板１２ｃは、香箱車１からの駆動トルク変動に対しロータ１２の回転数変動を少なくするためのものである。ステータ１５は、ステータ体１５ａに４万ターンのステータコイル１５ｂを巻線したものである。
【００３１】
コイルブロック１６は、磁心１６ａに１１万ターンのコイル１６ｂを巻線したものである。ここで、ステータ体１５ａと磁心１６ａはＰＣパーマロイ等で構成されている。また、ステータコイル１５ｂとコイル１６ｂは、各々の発電電圧を加えた出力電圧がでるように直列に接続されている。
【００３２】
次に、電子制御式機械時計の制御回路について、図４を参照して説明する。
【００３３】
発電機２０からの交流出力は、昇圧コンデンサ２１，ダイオード２２，２３からなる昇圧整流回路を通して昇圧、整流されて平滑用コンデンサ３０に充電される。コンデンサ３０には、ＩＣ５１および水晶振動子５２を備える回転制御手段５０が接続されている。
【００３４】
そして、コンデンサ３０に、ＩＣ５１および水晶振動子５２を駆動可能な所定電圧、例えば、１Ｖの電圧が蓄えられると、その蓄電力でＩＣ５１および水晶振動子５２が駆動され、発電機２０のコイルに流れる電流量を可変して電磁ブレーキ量を調整し、発電機２０つまり指針の回転周期を調速している。
【００３５】
なお、コイルに流れる電流量を可変する手段としては、特開平８−１０１２８４号公報の実施例１に記載されるような、発電機２０両端と並列に接続された負荷制御回路の抵抗を可変する方法や、実施例２に記載されるような、昇圧段数を可変する方法等が有効である。
【００３６】
この回路には、電力供給制御手段であるスイッチ４０が設けられている。スイッチ４０は、図５，６にも示すように、回路基板３１上のコンデンサ３０が接続された配線３２に、断続可能に構成されたスイッチレバー４０Ａによって構成されている。このスイッチレバー４０Ａは、針合わせ操作のために竜頭６０を引き出すと配線３２から離れて切断され、竜頭６０を押し込むと配線３２に接触されて接続されるように構成されている。
【００３７】
なお、スイッチレバー４０Ａや地板等の金属部分は、回路の基準点であるアースに導通され、ＶDDに設定されている。
【００３８】
このような本実施形態においては、針合わせを行うために竜頭６０を引き出すと、スイッチレバー４０Ａが配線３２から離れてスイッチ４０が切断される。同時に、指針および発電機２０も停止する。これにより、コンデンサ３０からＩＣ５１に電力が供給されず、コンデンサ３０は充電された状態のまま維持される。
【００３９】
そして、針合わせが終了して竜頭６０を押し込むと、スイッチレバー４０Ａも配線３２に接触されてスイッチ４０が接続される。すると、充電状態で維持されていたコンデンサ３０からＩＣ５１に電力が供給されるため、ＩＣ５１は竜頭６０を押し込むのと同時に駆動開始され、水晶振動子５２を作動させて発電機２０の回転制御を行う。
【００４０】
そして、発電機２０が立ち上がって定常運転になれば、発電機２０からの電力がコンデンサ３０を介してＩＣ５１に供給され、引き続き発電機２０の回転制御が行われる。
【００４１】
このような本実施形態によれば、次のような効果がある。
【００４２】
竜頭６０の進退操作に応じて断続されるスイッチ４０からなる電力供給制御手段を設けたので、竜頭６０を引き出して発電機２０を停止させている間は、コンデンサ３０から回転制御手段５０側に電力が供給されることがなく、コンデンサ３０の端子電圧を維持することができる。
【００４３】
このため、針合わせ作業を終了して発電機２０を作動させ始めた直後から、回転制御手段５０を作動させることができ、従来のように、ＩＣ５１が駆動するまでのタイムラグが生じないため、時間制御の誤差が少なくなり、より正確な針合わせ作業を行うことができる。
【００４４】
スイッチ４０は、竜頭６０に一端が接合されたスイッチレバー４０Ａからなり、構成を簡単にできるため、本実施形態の電子制御式機械時計を安価に製造することができる。さらに、従来に比べて、スイッチ４０のみを追加するだけでよく、製造コストの増加も殆どなく、比較的安価に提供することができる。
【００４５】
次に本発明の第２実施形態について説明する。なお、以下の各実施形態において、前述の各実施形態と同一もしくは同様の構成部分には、同一符号を付し、説明を省略あるいは簡略する。
【００４６】
本実施形態は、図７に示すように、ＩＣ５１内に、そのメイン回路５１Ａと電力供給側とを断続するスイッチ７０を設け、このスイッチ７０を電力供給制御手段としたものである。
【００４７】
このような本実施形態においては、針合わせを行うために竜頭６０を引き出すと、スイッチ７０が切断され、同時に、指針および発電機２０も停止する。スイッチ７０が切断されることにより、ＩＣ５１内のメイン回路５１Ａが電源供給ラインから切り離されるため、ＩＣ５１での消費電力が低減される。
【００４８】
このため、コンデンサ３０からＩＣ５１に供給される電力消費量が少なくなり、コンデンサ３０の充電量の低下割合を押さえられる。
【００４９】
そして、針合わせが終了して竜頭６０を押し込むと、スイッチ７０が接続され、同時に、発電機２０が回転し始めてコンデンサ３０を充電し始める。この際、コンデンサ３０には、針合わせ時間に応じた電力（＝スイッチ７０の切断時のコンデンサ３０の蓄電力−単位時間当たりのＩＣ５１の消費電力×針合わせ時間）が蓄えられているため、従来の完全に放電された状態のコンデンサ３０に充電する場合に比べて、ＩＣ５１を駆動可能な電圧まで充電する時間が短くなる。
【００５０】
そして、コンデンサ３０がＩＣ５１を駆動可能な電圧に充電されると、ＩＣ５１は水晶振動子５２を作動させて発電機２０の回転制御を行う。
【００５１】
このような本実施形態によれば、次のような効果がある。
【００５２】
竜頭６０の進退操作に応じて断続されるスイッチ７０からなる電力供給制御手段を設けたので、竜頭６０を引き出して発電機２０を停止させている間は、ＩＣ５１のメイン回路５１Ａを切り離すことができ、ＩＣ５１での消費電力量を低減することができる。
【００５３】
このため、針合わせ作業が所定時間内に終了すれば、コンデンサ３０にはある程度の電力が残され、このため、針合わせ作業を終了して発電機２０を作動させた際に、従来に比べて迅速にコンデンサ３０を充電でき、ＩＣ５１を駆動するまでのタイムラグを短くできるため、時間制御の誤差が少なくなり、より正確な針合わせ作業を行うことができる。
【００５４】
さらに、従来に比べて、ＩＣ５１内にスイッチ７０を形成するだけでよく、製造コストの増加も殆どなく、比較的安価に提供することができる。
【００５５】
次に、本発明の第３実施形態について説明する。
【００５６】
本実施形態は、図８に示すように、まず、前記コンデンサ３０よりも容量が小さく、かつコンデンサ３０に対して並列に接続された補助コンデンサ８０を設けるとともに、前記スイッチ４０とコンデンサ３０との間に、切替用スイッチ８１および抵抗８２が並列に接続された切替回路８３を設けたものである。
【００５７】
コンデンサ３０は、通常、０．５〜５μＦ程度の静電容量を有するため、補助コンデンサ８０は、０．０５〜０．５μＦ程度の蓄電手段とされている。また、抵抗８２は抵抗値が１００ＭΩ程度のものが用いられている。
【００５８】
前記切替用スイッチ８１は、発電機２０が停止してコンデンサ３０の端子電圧が回転制御手段５０を駆動できない電圧まで下がった際に切断され、発電機２０が作動されて回転制御手段５０を駆動可能な電圧以上になった際に接続されるように制御されている。
【００５９】
このような本実施形態において、発電機２０が作動されている定常運転時には、スイッチ４０および切替用スイッチ８１が入れられており、発電機２０からの電力は一旦コンデンサ３０に蓄えられてから回転制御手段５０に供給され、発電機２０の回転つまり指針の時間制御が行われる。
【００６０】
ここで、針合わせを行うために竜頭６０を引き出すと、スイッチ４０が切断され、指針および発電機２０も停止する。これにより、コンデンサ３０からＩＣ５１に電力が供給されず、コンデンサ３０は充電された状態のまま維持される。
【００６１】
そして、針合わせが終了して竜頭６０を押し込むと、スイッチ４０が接続される。この際、前記コンデンサ３０の端子電圧は、充電されて回転制御手段５０を駆動可能な電圧以上となっているため、切替用スイッチ８１も接続されており、これにより、充電状態で維持されていたコンデンサ３０からＩＣ５１に電力が供給されるため、ＩＣ５１は竜頭６０を押し込むのと同時に駆動開始され、水晶振動子５２を作動させて発電機２０の回転制御を行う。
【００６２】
そして、発電機２０が立ち上がって定常運転になれば、発電機２０からの電力がコンデンサ３０を介してＩＣ５１に供給され、引き続き発電機２０の回転制御が行われる。
【００６３】
一方、長時間発電機２０が停止されており、コンデンサ３０の端子電圧が自己放電により低下している場合には、前記切替用スイッチ８１は切断されている。この状態で、竜頭６０が押し込まれて発電機２０が作動し始めると、スイッチ４０が接続される。そして、コンデンサ３０は大きな抵抗値を有する抵抗８２を介して発電機２０に接続されているとともに、補助コンデンサ８０のほうがコンデンサ３０よりも容量が小さいため、コンデンサ８０側に大きな電流が流れて先に充電される。そして、コンデンサ８０が回転制御手段５０を駆動可能な電圧（１Ｖ程度）になると、回転制御手段５０が作動し、時計の時間が制御される。
【００６４】
また、コンデンサ３０にも抵抗８２を介して電流の一部が流れて同時に充電され、このコンデンサ３０の端子電圧が、コンデンサ８０の電圧と同じになった場合、あるいは回転制御手段５０を駆動可能な電圧に達すると、スイッチ８１が接続され、コンデンサ３０側から回転制御手段５０に電力が供給され、定常運転に戻る。
【００６５】
このような本実施形態によれば、前記第１実施形態と同様に、スイッチ４０を設けることで、発電機２０が停止中でもコンデンサ３０の端子電圧を維持できるため、針合わせ操作終了時からコンデンサ３０により回転制御手段５０を駆動でき、時間制御の誤差が少なくなってより正確な針合わせ作業を行うことができる。
【００６６】
また、コンデンサ３０のほかに、より静電容量の小さな補助コンデンサ８０を設けたので、スイッチ４０でチャタリングが生じた場合でも、コンデンサ８０からＩＣ５１に電力を供給でき、ＩＣ５１がチャタリングで停止されることを防止できる。
【００６７】
さらに、補助コンデンサ８０と、切替回路８３とを設けたので、仮にコンデンサ３０の端子電圧が自己放電等によって低下していても、針合わせ操作からの復帰時に、補助コンデンサ８０を用いて回転制御手段５０のＩＣ５１等を駆動可能な電圧まで迅速に充電することができ、回転制御手段５０を素早く作動させることができる。
【００６８】
このため、回転制御手段５０が作動せず、発電機２０の回転制御つまりは時計の時間制御を正確に行えない立上り時間を短縮でき、針合わせ時の誤差を非常に小さくできる。例えば、前記第３実施形態では、コンデンサ８０は発電機２０が駆動してから約０．５秒程度でＩＣ５１を駆動可能な電圧になり、ＩＣ５１を駆動することができる。なお、ＩＣ５１が駆動していない間も、指針はゼンマイで動いているため、実際の誤差は一定量補正することなどで、０．１秒以下に制御でき、誤差を非常に小さくできる。
【００６９】
また、本実施形態では、スイッチ８１および抵抗８２からなる切替回路８３を介してコンデンサ３０を発電機２０や回転制御手段５０に接続したので、発電機２０の立上り時にはスイッチ８１を切断しておき、抵抗８２を介してコンデンサ３０に電流を流すことができ、これにより抵抗３２の抵抗値の大きさを適宜設定することで、コンデンサ３０，８０への充電タイミングを適宜設定することができる。
【００７０】
従って、コンデンサ８０へは素早く充電してＩＣ５１等を迅速に駆動できるとともに、コンデンサ３０も比較的速く充電することができるような設定を容易に行うことができる。
【００７１】
次に、本発明の第４実施形態について、図９を参照して説明する。
【００７２】
本実施形態は、前記第３実施形態とは、切替回路８３の構成のみが相違するものである。このため、前記第３実施形態と、同一の構成部分には同一符号を付し、説明を省略あるいは簡略する。
【００７３】
この第４実施形態では、スイッチ８１およびダイオード８４によって切替回路８３が構成されている。ダイオード８４は、順方向に電圧を加えた場合、通常０．６Ｖ程度の電圧が加わるまでは電流が流れず、０．６Ｖ程度以上の電圧が加わると、電流が流れ出すため、発電機２０の立上り時にスイッチ８１を切断しておけば、最初は補助コンデンサ８０側のみに電流が流れてコンデンサ８０が迅速に充電され、ＩＣ５１を迅速に駆動できる。
【００７４】
一方、ダイオード８４に加わる電圧が所定電圧（０．６Ｖ程度）以上になるとコンデンサ３０側にもダイオード８４を介して電流が流れて充電される。そして、コンデンサ３０の電圧がコンデンサ８０と同じ電圧になるか、あるいはコンデンサ３０の電圧がＩＣ５１を駆動可能な電圧に達した際にはスイッチ８１を接続し、コンデンサ３０によって回転制御手段５０を駆動する。
【００７５】
なお、ダイオード８４を直列に２つ接続して設ければ、ダイオード８４を介して電流が流れ始める電圧が約２倍（１．２Ｖ程度）となるため、コンデンサ８０がＩＣ５１を駆動可能な電圧（１Ｖ前後）になるまでコンデンサ３０側には電流を流れないように制御することもできる。このダイオード８４の数や、種類は、各コンデンサ３０，８０の充電タイミングなどを考慮して適宜設定すればよい。
【００７６】
このような本実施形態においても、前記第３実施形態と同じ作用効果が得られる。さらに、抵抗８２の代わりにダイオード８４を用いているので、コンデンサ３０の電圧が低下してスイッチ８１を切断した際に、コンデンサ３０内の電荷がダイオード８４側に流れないので、コンデンサ３０内により確実に電荷を残しておくことができる。
【００７７】
なお、本発明は前述の各実施形態に限定されるものではなく、本発明の目的を達成できる範囲での変形、改良等は本発明に含まれるものである。
【００７８】
例えば、前記第１，３，４実施形態では、スイッチ４０をコンデンサ３０に直列に接続される位置に設けたが、例えば、図４において、コンデンサ３０の下側の分岐点とＩＣ５１との間などに設けてもよく、要するにコンデンサ３０に充電された電力がＩＣ５１側に流れないように遮断できる位置に設ければよい。但し、スイッチ４０の位置によっては、ダイオード２３のリークが生じることがあるため、前記第１実施形態の位置に設けることが好ましい。
【００７９】
また、スイッチ４０の具体的な構成は、前記第１実施形態のスイッチレバー４０Ａに限らず、他の構成の機械式のスイッチや、電気的なスイッチでもよく、実施にあたって適宜設定すればよい。但し、電力の供給を完全に遮断できる点で機械式スイッチを用いることが好ましい。なお、電気的なスイッチを用いた場合でも、電気的スイッチを構成するシリコンダイオードのリーク電流（１ｎＡ程度）しか放電しないため、スイッチの遮断効果は機械式スイッチの場合とほとんど同じであり、実用上は問題とならない。
【００８０】
さらに、スイッチ４０，７０は、竜頭６０の操作に連動して断続されるものに限らず、発電機２０や輪列の停止および作動に連動して断続するものでもよい。
但し、前記スイッチレバー４０Ａを用いれば、構造が簡単で安価に製造できる利点がある。
【００８１】
また、前記各コンデンサ３０，８０としては、各種のコンデンサが利用できるが、特に電解質を含まない積層セラミックコンデンサを用いれば、信頼性を向上できる点で好ましい。セラミックコンデンサの放電特性を測定したところ、充電せずに１５分間程度自己放電させても、当初の９割以上の端子電圧を維持できた。従って、通常数分で終了する針合わせ操作時には、発電機２０が停止しても積層セラミックコンデンサは回転制御手段５０を駆動するのに十分な端子電圧を維持することができる。
【００８２】
【発明の効果】
以上に述べたように、本発明の電子制御式機械時計によれば、発電機の運転に連動して作動される電力供給制御手段を設けたので、発電機が停止している際のコンデンサから回転制御手段に供給される電気エネルギを遮断あるいは低減することができる。これにより、発電機が駆動し始めた際に、コンデンサによって前記回転制御手段を即座にあるいは迅速に駆動でき、針合わせの誤差を小さくすることができる。
【図面の簡単な説明】
【図１】本発明の一実施形態における電子制御式機械時計の要部を示す平面図である。
【図２】図１の要部を示す断面図である。
【図３】図１の要部を示す断面図である。
【図４】前記実施形態の要部の回路を示す図である。
【図５】前記実施形態のスイッチを示す正面図である。
【図６】図６のＶＩ−ＶＩ線に沿った断面図である。
【図７】本発明の第２実施形態の要部の回路を示す図である。
【図８】本発明の第３実施形態の要部の回路を示す図である。
【図９】本発明の第４実施形態の要部の回路を示す図である。
【符号の説明】
１    香箱車
１ａ  ゼンマイ
２    地板
３    輪列受
１２    ロータ
１３    分針
１４    秒針
１５    ステータ
１６    コイルブロック
２０    発電機
３０    平滑用コンデンサ
４０    電力供給制御手段であるスイッチ
４０Ａ  スイッチレバー
５０    回転制御手段
５１    ＩＣ
５２    水晶振動子
６０    竜頭
７０    電力供給制御手段であるスイッチ
８０    補助コンデンサ
８１    スイッチ
８２    抵抗
８３    切替回路
８４    ダイオード
【図１】
0003601258.tif 000002
【図２】
0003601258.tif 000003
【図３】
0003601258.tif 000004
【図４】
0003601258.tif 000005
【図５】
0003601258.tif 000006
【図６】
0003601258.tif 000007
【図７】
0003601258.tif 000008
【図８】
0003601258.tif 000009
【図９】
0003601258.tif 000010